(57)【特許請求の範囲】
【請求項１】
実績データの値が記述される実績データ欄と、操業者が個別具体的な事項を記述することのできる特記欄を有する操業日誌のデータが蓄積されたデータベースを用いて知識情報を抽出する製造プロセスにおける知識情報抽出装置であって、
予め構築されたオントロジーに定義された概念が入力されると、前記入力された概念に基づいて、前記データベースに蓄積された操業日誌の特記欄を対象に検索を実行し、前記入力された概念を特記欄に含む操業日誌の一覧を表示装置に表示する検索手段を備え、
前記検索手段は、前記入力された概念に対して所定の関係があると定義された概念を特記欄に含む操業日誌も含めて操業日誌の一覧を前記表示装置に表示可能であり、
前記検索手段は、実績データ名が入力されると、前記入力された概念を特記欄に含む操業日誌だけ、或いは、前記入力された概念又はそれに対して所定の関係があると定義された概念を特記事項に含む操業日誌だけを対象として、該入力された実績データ名に該当する実績データのグラフを生成、表示することを特徴とする製造プロセスにおける知識情報抽出装置。
【請求項２】
前記検索手段は、前記入力された概念に対して関係があると定義された概念の全て或いは一部を前記表示装置に表示することを特徴とする請求項１に記載の製造プロセスにおける知識情報抽出装置。
【請求項３】
前記検索手段は、前記入力された概念、或いは前記入力された概念に対して関係があると定義された概念の全て或いは一部に対して関連があるとされる関連キーワードを特記欄から抽出して、前記表示装置に表示する関連キーワード抽出手段を備えたことを特徴とする請求項１又は２に記載の製造プロセスにおける知識情報抽出装置。
【請求項４】
前記入力された実績データ名に該当する実績データに対して、絞り込み条件が入力可能であり、前記絞り込み条件で絞り込んだ実績データを実績データ欄に含む操業日誌に対して、検索を実行することを特徴とする請求項１乃至３のいずれか１項に記載の製造プロセスにおける知識情報抽出装置。
【請求項５】
実績データの値が記述される実績データ欄と、操業者が個別具体的な事項を記述することのできる特記欄を有する操業日誌のデータが蓄積されたデータベースを用いて知識情報抽出装置により知識情報を抽出する製造プロセスにおける知識情報抽出方法であって、
前記知識情報抽出装置は、予め構築されたオントロジーに定義された概念が入力されると、前記入力された概念に基づいて、前記データベースに蓄積された操業日誌の特記欄を対象に検索を実行し、前記入力された概念を特記欄に含む操業日誌の一覧を表示装置に表示する検索ステップを行い、
前記検索ステップは、前記入力された概念に対して所定の関係があると定義された概念を特記欄に含む操業日誌も含めて操業日誌の一覧を前記表示装置に表示可能であり、
前記検索ステップは、実績データ名が入力されると、前記入力された概念を特記欄に含む操業日誌だけ、或いは、前記入力された概念又はそれに対して所定の関係があると定義された概念を特記事項に含む操業日誌だけを対象として、該入力された実績データ名に該当する実績データのグラフを生成、表示することを特徴とする製造プロセスにおける知識情報抽出方法。
【請求項６】
実績データの値が記述される実績データ欄と、操業者が個別具体的な事項を記述することのできる特記欄を有する操業日誌のデータが蓄積されたデータベースを用いて知識情報を抽出するためのプログラムであって、
予め構築されたオントロジーに定義された概念が入力されると、前記入力された概念に基づいて、前記データベースに蓄積された操業日誌の特記欄を対象に検索を実行し、前記入力された概念を特記欄に含む操業日誌の一覧を表示装置に表示する検索処理をコンピュータに実行させ、
前記検索処理は、前記入力された概念に対して所定の関係があると定義された概念を特記欄に含む操業日誌も含めて操業日誌の一覧を前記表示装置に表示可能であり、
前記検索処理は、実績データ名が入力されると、前記入力された概念を特記欄に含む操業日誌だけ、或いは、前記入力された概念又はそれに対して所定の関係があると定義された概念を特記事項に含む操業日誌だけを対象として、該入力された実績データ名に該当する実績データのグラフを生成、表示することを特徴とするプログラム。
【発明の詳細な説明】
【技術分野】
【０００１】
本発明は、日常的に作成される操業日誌を利用して知識情報を抽出する製造プロセスにおける知識情報抽出装置、方法及びプログラムに関する。
【背景技術】
【０００２】
製鉄所等の製造現場では、操業中に発生した出来事に基づいて操業日誌を作成する。この操業日誌を利用して、特に熟練者ではない操業者が過去の類似状況を検索して、操業プロセスの改善等に向けた業務効率を図ることが期待される。
【先行技術文献】
【特許文献】
【０００３】
【特許文献１】特開２００７−２７２４００号公報
【特許文献２】特開２０１０−１０８４７８号公報
【特許文献３】特開２００７−２２６５３２号公報
【発明の概要】
【発明が解決しようとする課題】
【０００４】
しかしながら、現状では過去の操業日誌を単に蓄積しているだけであり、操業日誌を検索して、操業プロセスの改善等の検討に有用な過去の操業日誌にアクセスすることは容易ではない。操業日誌を一括管理し、有用な操業日誌にアクセスしやすいインターフェースを提供できるようにすれば、操業者が過去の類似状況を検索でき、操業プロセスの改善等に向けた業務効率を図ることができる。
【０００５】
製鉄所等の製造現場では、多数の設備が存在し、設備の状態や設備で取り扱うものも多岐にわたり、それらが相互に関係を有する。例えば「装置」の下位概念に「加熱装置」があり、更にその下位概念に「プラズマ加熱装置」があるという関係や、「ある状態（例えば温度）」は「装置」の属性であるという関係等である。そのため、操業日誌でも多くの概念が使用されることになり、操業日誌を検索対象とする場合の概念体系を適切に取り扱う必要がある。
【０００６】
過去の知見に基づいて操業支援を行うものとして、特許文献１では、操業成績が低下したときに、低下要因と思われる項目を現象データベースから検索し、過去の実績に基づいて低下要因を絞り込む構成が開示されている。しかしながら、特許文献１では、操業成績低下要因定義についての情報が記憶されている現象データベースを予め作成しておく必要があり、また、日常的に作成される操業日誌を利用して知識情報を抽出するものではない。
【０００７】
また、特許文献２では、過去のトラブルに関する報告書を活用することが開示されている。すなわち、タイトルとトラブルの発生原因とを含むトラブル報告書について、タイトルの形態素子分析を行い、発生したトラブル名を分類するための分類語を抽出する。そして、抽出した分類語がタイトルに含まれているトラブル報告書に記録されているトラブルの発生原因に対して形態素子分析を行い、トラブルの発生原因の候補となる原因候補語を抽出する。しかしながら、特許文献２では、トラブルが発生した事例を前提とする技術であり、トラブルの有無に関係なく作成される操業日誌を利用して知識情報を抽出するものではない。また、分類語や原因候補語は、単にこれら用語のトラブル報告書中の発生頻度により抽出されており、関係する概念までは考慮されていない。
【０００８】
また、特許文献３では、設備データ及び述語データからなる不具合データベースと、対象データ及び述語データからなる原因データベースと、要素データ及び述語データからなる保全データベースとが、ツリー状にＩＤ番号が付され関連付けられるオントロジーデータ構造を構成することが開示されている。しかしながら、特許文献３では、具体的な不具合があったときに、ツリーに照らし合わせて原因や保全措置を判断するものであり、過去の大量の操業日誌の中からある概念について検索する際に、関係する概念も考慮することについては開示されていない。
【０００９】
本発明は上記のような点に鑑みてなされたものであり、操業日誌を一括管理し、役に立つ操業日誌にアクセスしやすくすることを目的とし、より具体的には、過去の大量の操業日誌の中からある概念について検索する際に、関係する概念も考慮できるようにすることを目的とする。
【課題を解決するための手段】
【００１０】
本発明の製造プロセスにおける知識情報抽出装置は、実績データの値が記述される実績データ欄と、操業者が個別具体的な事項を記述することのできる特記欄を有する操業日誌のデータが蓄積されたデータベースを用いて知識情報を抽出する製造プロセスにおける知識情報抽出装置であって、予め構築されたオントロジーに定義された概念が入力されると、前記入力された概念に基づいて、前記データベースに蓄積された操業日誌の特記欄を対象に検索を実行し、前記入力された概念を特記欄に含む操業日誌の一覧を表示装置に表示する検索手段を備え、前記検索手段は、前記入力された概念に対して所定の関係があると定義された概念を特記欄に含む操業日誌も含めて操業日誌の一覧を前記表示装置に表示可能であり、前記検索手段は、実績データ名が入力されると、前記入力された概念を特記欄に含む操業日誌だけ、或いは、前記入力された概念又はそれに対して所定の関係があると定義された概念を特記事項に含む操業日誌だけを対象として、該入力された実績データ名に該当する実績データのグラフを生成、表示することを特徴とする。
また、本発明の製造プロセスにおける知識情報抽出装置の他の特徴とするところは、前記検索手段は、前記入力された概念に対して関係があると定義された概念の全て或いは一部を前記表示装置に表示する点にある。
また、本発明の製造プロセスにおける知識情報抽出装置の他の特徴とするところは、前記検索手段は、前記入力された概念、或いは前記入力された概念に対して関係があると定義された概念の全て或いは一部に対して関連があるとされる関連キーワードを特記欄から抽出して、前記表示装置に表示する関連キーワード抽出手段を備えた点にある。
また、本発明の製造プロセスにおける知識情報抽出装置の他の特徴とするところは、前記入力された実績データ名に該当する実績データに対して、絞り込み条件が入力可能であり、前記絞り込み条件で絞り込んだ実績データを実績データ欄に含む操業日誌に対して、検索を実行する点にある。
本発明の製造プロセスにおける知識情報抽出方法は、実績データの値が記述される実績データ欄と、操業者が個別具体的な事項を記述することのできる特記欄を有する操業日誌のデータが蓄積されたデータベースを用いて知識情報抽出装置により知識情報を抽出する製造プロセスにおける知識情報抽出方法であって、前記知識情報抽出装置は、予め構築されたオントロジーに定義された概念が入力されると、前記入力された概念に基づいて、前記データベースに蓄積された操業日誌の特記欄を対象に検索を実行し、前記入力された概念を特記欄に含む操業日誌の一覧を表示装置に表示する検索ステップを行い、前記検索ステップは、前記入力された概念に対して所定の関係があると定義された概念を特記欄に含む操業日誌も含めて操業日誌の一覧を前記表示装置に表示可能であり、前記検索ステップは、実績データ名が入力されると、前記入力された概念を特記欄に含む操業日誌だけ、或いは、前記入力された概念又はそれに対して所定の関係があると定義された概念を特記事項に含む操業日誌だけを対象として、該入力された実績データ名に該当する実績データのグラフを生成、表示することを特徴とする。
本発明のプログラムは、実績データの値が記述される実績データ欄と、操業者が個別具体的な事項を記述することのできる特記欄を有する操業日誌のデータが蓄積されたデータベースを用いて知識情報を抽出するためのプログラムであって、予め構築されたオントロジーに定義された概念が入力されると、前記入力された概念に基づいて、前記データベースに蓄積された操業日誌の特記欄を対象に検索を実行し、前記入力された概念を特記欄に含む操業日誌の一覧を表示装置に表示する検索処理をコンピュータに実行させ、前記検索処理は、前記入力された概念に対して所定の関係があると定義された概念を特記欄に含む操業日誌も含めて操業日誌の一覧を前記表示装置に表示可能であり、前記検索処理は、実績データ名が入力されると、前記入力された概念を特記欄に含む操業日誌だけ、或いは、前記入力された概念又はそれに対して所定の関係があると定義された概念を特記事項に含む操業日誌だけを対象として、該入力された実績データ名に該当する実績データのグラフを生成、表示することを特徴とする。
【発明の効果】
【００１１】
本発明によれば、過去の大量の操業日誌の中からある概念について検索する際に、関係する概念も考慮することができるので、操業日誌を検索対象とする場合の概念体系を適切に取り扱うことができる。このように、操業日誌を一括管理し、役に立つ操業日誌にアクセスしやすいインターフェースを提供できるので、操業者が過去の類似状況を検索でき、操業プロセスの改善等に向けた業務効率を図ることができる。
【図面の簡単な説明】
【００１２】
【図１】実施形態に係る製造プロセスにおける知識情報抽出装置の機能構成を示す図である。
【図２】操業日誌の例を示す図である。
【図３】キーワード検索画面を示す図である。
【図４】Ｄｉｃｅ係数を説明するための図である。
【図５】オントロジー構築画面を示す図である。
【図６】オントロジー検索画面を示す図である。
【図７】データ検索画面を示す図である。
【図８】データ検索画面を示す図である。
【図９】データ検索画面を示す図である。
【図１０】データ検索画面を示す図である。
【図１１】データ検索画面を示す図である。
【発明を実施するための形態】
【００１３】
以下、添付図面を参照して、本発明の好適な実施形態について説明する。
図１に、本実施形態に係る製造プロセスにおける知識情報抽出装置１００の機能構成を示す。本実施形態では、製鋼プロセスを対象とする。１０１はデータベースであり、操業日誌（操業・設備・品質日誌）の電子データが蓄積される。図２に、操業日誌の例を示す。操業日誌は、文書作成ソフトウェア等によりコンピュータ上で作成され、データベース１０１に蓄積される。製鉄所等の２４時間操業を行う製造現場では、８時間ごとに甲番、乙番、丙番に分けられ、同図には甲番での操業を担うＤ組の操業者が記述した操業日誌を示す。
【００１４】
操業日誌には、日誌年月日２０１、最終データ更新日２０２、最終印刷日時２０３が記述される。また、生産Ｎｏ．（２０４）ごとに製造番号、工程、生産記号、符号、製造幅、サイズ等が記述されるとともに、実績データである開始時刻、生産時刻、操業速度等の各値が記述される実績データ欄２０５が設けられている。実績データ欄２０５の値は、設備から自動的に入力されるようにしてもよいし、操業者により入力されるようにしてもよい。また、生産量の計画と実績２０６が記述される。また、操業特記、設備特記、品質特記の特記欄２０７が設けられており、これら特記欄２０７には操業者が個別具体的な所見等の事項（特記事項）を記述することができる。
【００１５】
図１に説明を戻して、１０２はキーボードやマウス等の入力装置である。また、１０３は各種画面を表示する表示装置である。
【００１６】
１０４はキーワード検索部であり、任意のキーワードが入力装置１０２を介して入力されると、当該入力されたキーワードに基づいて、操業日誌の特記欄２０７を対象に検索を実行し、検索結果を表示装置１０３に表示する。
【００１７】
図３には、表示装置１０３に表示されるキーワード検索画面を示す。キーワード検索画面では、キーワード入力欄３０１と、期間入力欄３０２とが設けられている。キーワード入力欄３０１にキーワードを入力し、検索ボタン３０３を押下すると、キーワード検索が実行される。すなわち、キーワード検索部１０４は、キーワード入力欄３０１に入力されたキーワード（入力キーワードと称する）をデータベース１０１に蓄積された操業日誌の特記欄２０７から検索し、入力キーワードを特記欄２０７に含む操業日誌の一覧３０４を表示する。期間入力欄３０２に期間が入力された場合は、その期間に含まれる日付（日誌年月日２０１）の操業日誌を検索対象とする。
【００１８】
操業日誌の一覧３０４では、ヒット件数とともに、各操業日誌の概要がわかるように、例えば日付、組、記入者、特記欄２０７に記述された特記事項を抽出して表示する。この場合に、特記事項中の入力キーワードは色を変える等の強調表示するようにしてもよい。操業日誌の一覧３０４は操業日誌のデータにリンクしており、日付が選択されると、当該選択された操業日誌の詳細を表示する。
【００１９】
また、共起語抽出部１０４ａは、データベース１０１に蓄積された操業日誌の特記欄２０７から、入力キーワードと共起する共起語３０５を抽出して表示する。具体的には、操業日誌の特記欄２０７の記述の形態素子解析を行い、品詞を抽出する。そして、特記欄２０７の一記述を単位として、その中で入力キーワードと同時に現れる用語を共起として扱う。共起度の判断には、例えば図４に示すようなＤｉｃｅ係数を利用する。共起語３０５を表示する際には、共起度の高い順に列挙する。
【００２０】
いずれかの共起語３０５が指定操作されると、キーワード検索部１０４は、当該指定された共起語をキーワード入力欄３０１に表示して、入力キーワードとして再度検索を実行する。また、各共起語３０５の隣に表示される（＋）が指定操作されると、キーワード検索部１０４は、入力キーワードと、指定された共起語とのＡＮＤ検索を実行する。なお、ここでは図示しないが、ＯＲ検索、或いは、ＡＮＤ検索やＯＲ検索、ＮＯＴ検索の組合せによる論理検索を実行できるようにしてもよい。
【００２１】
以上のようにしたキーワード検索を利用すれば、例えばキーワード入力欄３０１にキーワード「詰まり」を入力すると、「詰まり」に共起する共起語が表示される。これにより、「詰まり」が特記欄２０７に現れたときに頻繁に現れる用語を知ることができ、当該プロセスの熟練者でなくても、どこで何が詰まりやすいのかを推定するようなことが可能になる。
【００２２】
図１に説明を戻して、１０５はオントロジー検索部であり、予め構築されたオントロジーに定義された概念が入力装置１０２を介して入力されると、当該入力された概念に基づいて、操業日誌の特記欄２０７を対象に検索を実行し、検索結果を表示装置１０３に表示する。
【００２３】
ここで、オントロジーとは、共通語彙（概念）を提供する体系化された辞書のことであり、対象世界（本実施形態では製鋼プロセス）を構成する概念を取り出し、対象世界をうまく表現できるように概念間の関係を書き表わしたものである。オントロジーにおける関係表記方法の例として、ｉｓ−ａ関係、ｐａｒｔ−ｏｆ関係、ａｔｔｒｉｂｕｔｅ−ｏｆ関係、関係、インスタンス、ロール（役割）がある。ｉｓ−ａ関係は、上位概念−下位概念を表わす。例えば「装置」の下位概念に「加熱装置」があり、更にその下位概念に「プラズマ加熱装置」があるという関係である。ｐａｒｔ−ｏｆ関係は、全体概念と部分概念を表わし、事物が複数の部分（ｐａｒｔ）から構成されていることを表わす。例えば「バーナー」は「加熱装置」を構成する部分（ｐａｒｔ）であるという関係である。ａｔｔｒｉｂｕｔｅ−ｏｆ関係は、ある概念の属性を表わす。例えば「ある状態（例えば温度）」は「装置」の属性であるという関係である。関係は、２つの概念間の関係、例えば「自転車」は「人間」の所有物であるという関係を表わす。インスタンスは、概念の具体物を表わす。ロール（役割）は、ある概念に付随する役割を表わす。例えば「ホース」は「通過物」があるという関係である。
【００２４】
オントロジーは知識情報抽出装置１００上において予め構築されている。図５には、オントロジーを構築するためのオントロジー構築画面の例を示す。ここでは、「ノズル」の下位概念として「浸漬ノズル」、「スライディングノズル」、「ロングノズル」、「電極ノズル」、「スプレーノズル」等を定義している（ｉｓ−ａ関係）。また、「ノズル」を構成する部分として「吐出口」を定義している（ｐａｒｔ−ｏｆ関係）。また、「ノズル」の属性として「流量属性値」を定義している（ａｔｔｒｉｂｕｔｅ−ｏｆ関係）。また、「ノズル」の役割として「吐出機能」を定義している（ロール）。なお、各概念には、別名（表記揺れ）が記述できるようになっている。例えば「ノズル」については英語表記「ｎｏｚｚｌｅ」も同じものとして取り扱われると定義している。
【００２５】
図６には、表示装置１０３に表示されるオントロジー検索画面を示す。オントロジー検索画面では、概念入力欄６０１と、期間入力欄６０２とが設けられている。また、概念入力欄６０１に入力する概念に対する兄弟概念（同じ上位概念をもつ概念）を含めて拡張検索するか否か、下位概念を含めて拡張検索するか否かを選択するチェックボックス６０３が設けられている。概念入力欄６０１に概念を入力し、検索ボタン６０４を押下すると、オントロジー検索が実行される。すなわち、オントロジー検索部１０５は、概念入力欄６０１に入力された概念（入力概念と称する）に対して関係があるとオントロジーに定義された概念６０５を表示する。また、オントロジー検索部１０５は、入力概念をデータベース１０１に蓄積された操業日誌の特記欄２０７から検索し、入力概念を特記欄２０７に含む操業日誌の一覧６０６を表示する。チェックボックス６０３がチェックされている場合は、兄弟概念や下位概念もデータベース１０１に蓄積された操業日誌の特記欄２０７から検索し、兄弟概念や下位概念を特記欄２０７に含む操業日誌も含めて操業日誌の一覧６０６を表示する。なお、ここでは下位概念と兄弟概念を含めて拡張検索できる例を述べたが、他の関係にある概念のチェックボックスを設けるようにしてもよい。期間入力欄６０２に期間が入力された場合は、その期間に含まれる日付（日誌年月日２０１）の操業日誌を検索対象とする。
【００２６】
図示例では、入力概念に関係する概念６０５として、概念パス、上位概念、兄弟概念、下位概念を表示している。概念パスには、入力概念に至るまでの上位概念を表示し、ここでは機械設備＞設備・装置＞搬送・運搬装置＞クレーンのように入力概念である「クレーン」に至るまでの上位概念を表示している。また、上位概念では、入力概念の一層上位の上位概念を表示し、ここでは入力概念である「クレーン」の上位概念である「搬送・運搬装置」を表示している。また、兄弟概念では、入力概念の兄弟概念を表示し、ここでは入力概念である「クレーン」の兄弟概念である「台車」、「コンベア」等を表示している。また、下位概念では、入力概念の一層下位の下位概念を表示し、ここでは入力概念である「クレーン」の下位概念である「搬送クレーン」、「メンテナンスクレーン」等を表示している。なお、上位概念や下位概念として一層の上位概念や下位概念を表示するとしたが、複数層の上位概念や下位概念を表示するようにしてもよい。
【００２７】
ここでは、入力概念に関係する概念６０５として、上位概念−下位概念を表わすｉｓ−ａ関係にある概念だけを表示しているが、オントロジーに他の関係、すなわちｐａｒｔ−ｏｆ関係、ａｔｔｒｉｂｕｔｅ−ｏｆ関係、関係、インスタンス、ロール（役割）の関係が定義されていれば、それら概念も表示するようにする。
【００２８】
いずれかの入力概念に関係する概念６０５が指定操作されると、オントロジー検索部１０５は、当該指定された概念を概念入力欄６０１に表示して、入力概念として再度検索を実行する。また、入力概念に関係する概念６０５のうち兄弟概念、下位概念として表示された概念の隣に表示される（＋）が指定操作されると、オントロジー検索部１０５は、入力概念と、指定された兄弟概念や下位概念とのＯＲ検索を実行する。なお、ここでは図示しないが、ＡＮＤ検索、或いは、ＡＮＤ検索やＯＲ検索、ＮＯＴ検索の組合せによる論理検索を実行できるようにしてもよい。
【００２９】
操業日誌の一覧６０６では、ヒット件数とともに、各操業日誌の概要がわかるように、例えば日付、組、記入者、特記欄２０７に記述された特記事項を抽出して表示する。この場合に、特記事項中の入力概念（チェックボックス６０３がチェックされていれば兄弟概念、下位概念も）は色を変える等の強調表示するようにしてもよい。操業日誌の一覧６０６は操業日誌のデータにリンクしており、日付が選択されると、当該選択された操業日誌の詳細を表示する。
【００３０】
以上のようにしたオントロジー検索を利用すれば、ある概念について検索する際に、過去の大量の操業日誌の中から関係する概念も抽出されるので、操業日誌を検索対象とする場合の概念体系を適切に取り扱うことができる。例えば「クレーン」は「搬送・運搬装置」の一種であり、「搬送・運搬装置」の他の種類として「台車」、「コンベア」等があるというように、ある概念がどの概念とどのような関係にあるのかを容易に特定することができる。
【００３１】
図１に説明を戻して、１０６はデータ検索部であり、所望の実績データ名が入力装置１０２を介して入力されると、当該入力された実績データ名に基づいて、操業日誌の実績データ欄２０５を対象に検索を実行し、前記入力された実績データ名に該当する実績データのグラフを生成して表示装置１０３に表示する。
【００３２】
図７〜図１０には、表示装置１０３に表示されるデータ検索画面を示す。図７〜図９は、実績データの値域分布を表わすヒストグラムを表示するデータ検索画面である。データ検索画面では、実績データ名入力欄７０１と、値域入力欄７０２と、キーワード入力欄７０３と、期間入力欄７０４とが設けられている。実績データ名入力欄７０１にプルダウンメニューから実績データ名を選択して入力し、検索ボタン７０５を押下すると、データ検索が実行される。すなわち、データ検索部１０６は、実績データ名入力欄７０１に入力された実績データ名（入力実績データ名と称する）に該当する実績データを、データベース１０１に蓄積された操業日誌の実績データ欄２０５から検索し、その値域分布を表わすヒストグラム７０６を生成、表示する。図示例では、実績データ名入力欄７０１に「操業速度」が入力されており、ヒストグラム７０６において横軸は実績データの値（ここでは操業速度）、縦軸は件数である。また、データ検索部１０６は、入力実績データ名に該当する実績データを実績データ欄２０５に含む操業日誌の一覧７０７を表示する。期間入力欄７０４に期間が入力された場合は、その期間に含まれる日付（日誌年月日２０１）の操業日誌を検索対象とする。
【００３３】
図８に示すように、値域入力欄７０２に値域が入力された場合は、当該入力された値域（入力値域と称する）の実績データに絞り込んで、ヒストグラム７０６を生成、表示する。図８に示すヒストグラム７０６の横軸の値域は、図７に示したヒストグラム７０６に比べて絞り込まれたものとなっている。また、操業日誌の一覧７０７には、入力実績データ名に該当し、かつ、入力値域にある実績データを実績データ欄２０５に含む操業日誌を表示する。
【００３４】
また、値域入力欄７０２を使用しなくても、現在表示されているヒストグラム７０６上でマウスのドラッグ操作等により所望の値域を範囲指定することができる。ヒストグラム７０６において所望の値域が範囲指定されて（入力値域と称する）、検索ボタン７０５が押下されると、データ検索部１０６は、当該入力値域の実績データに絞り込んで、ヒストグラム７０６を再生成、表示する。また、操業日誌の一覧７０７には、入力実績データ名に該当し、かつ、入力値域にある実績データを実績データ欄２０５に含む操業日誌を表示する。
【００３５】
また、図９に示すように、キーワード入力欄７０３にキーワードが入力された場合は、当該入力されたキーワードを特記欄２０７に含む操業日誌だけを対象として、入力実績データ名に該当する実績データのヒストグラム７０６を生成、表示するとともに、操業日誌の一覧７０７を表示する。
【００３６】
ここで、図８に示すように値域により絞り込みが行われた場合、関連キーワード抽出部１０６ａは、絞り込んだ実績データを実績データ欄２０５に含む操業日誌に対して関連があるとされる関連キーワード７０８を抽出して表示する。同様に、図９に示すようにキーワードが入力された場合、当該キーワードを特記欄２０７に含み、かつ、入力実績データ名に該当する実績データを実績データ欄２０５に含む操業日誌に対して関連があるとされる関連キーワード７０８を抽出して表示する。
【００３７】
関連キーワード７０８の抽出には、図４に示したＤｉｃｅ係数の考え方を利用する。すなわち、値域やキーワードによる絞り込み条件を満たす操業日誌の数を「Ａ」、満たさない操業日誌の数を「¬Ａ」とする。また、関連キーワード候補群の各関連キーワード候補について、関連キーワード候補を含む操業日誌の数を「Ｂ」、含まない操業日誌の数を「¬Ｂ」とする。そして、関連度＝２Ｉ／｛（Ｉ＋II）＋（Ｉ＋III）｝として関連度を求め、関連度の大きい関連キーワード候補から順に関連キーワード７０８として列挙する。関連キーワード候補群としては、操業日誌の特記欄２０７の記述の形態素子解析を行うことにより抽出される品詞や、オントロジーで定義された概念等とすればよい。
【００３８】
いずれかの関連キーワード７０８が指定操作されると、データ検索部１０６は、当該指定された関連キーワードをキーワード入力欄７０３に表示して、再度検索を実行する。すなわち、当該キーワードを特記欄２０７に含む操業日誌だけを対象として、入力実績データ名に該当する実績データのヒストグラム７０６を生成、表示するとともに、操業日誌の一覧７０７を表示する。
【００３９】
操業日誌の一覧７０７では、ヒット件数とともに、各操業日誌の概要がわかるように、例えば日付、組、記入者、特記欄２０７に記述された特記事項を抽出して表示する。この場合に、特記事項中のキーワードや関連キーワードは色を変える等の強調表示するようにしてもよい。操業日誌の一覧７０７は操業日誌のデータにリンクしており、日付が選択されると、選択された操業日誌の詳細を表示する。
【００４０】
図１０は、実績データの時間推移を表わす折れ線グラフを表示するデータ検索画面である。基本的には図７〜図９で説明したのと同様であるが、実績データ名入力欄７０１に入力された実績データ名に該当する実績データを、データベース１０１に蓄積された操業日誌の実績データ欄２０５から検索し、その時間推移を表わす折れ線グラフ７０９を生成、表示する。図示例では、実績データ名入力欄７０１に「操業速度」が入力されており、折れ線グラフ７０９において横軸は時間、縦軸は実績データの値（ここでは操業速度）である。初期表示では月毎の平均値の時間推移を表示するが、期間を絞り込むことにより、月→週→日・・・のように平均値の集計範囲が細かくなり、詳細を確認することができる。
【００４１】
折れ線グラフ７０９を表示する場合も、例えば現在表示されている折れ線グラフ７０９上でマウスのドラッグ操作等により所望の期間を範囲指定することができる。これにより、当該入力された期間（入力期間と称する）の実績データに絞り込んで、折れ線グラフ７０９を生成、表示する。また、操業日誌の一覧７０７には、入力実績データ名に該当し、かつ、入力期間にある実績データを実績データ欄２０５に含む操業日誌を表示する。
【００４２】
以上のようにしたデータ検索を利用すれば、実績データ名入力欄７０１に入力された実績データ名に該当する実績データが可視化される、すなわち実績データの値域分布を表わすヒストグラム７０６や時間推移を表わす折れ線グラフ７０９が表示されるので、操業者は実績データを把握しやすい。
【００４３】
しかも、キーワードを含めて複合検索することができるので、実績データとキーワードとの関係性を把握しやすい。また、キーワードを入力したり、値域や期間を絞り込んだりすることにより関連キーワード７０８が表示されるので、実績データとキーワードとの関係性を把握しやすい。これにより、例えば外れ値のある値域や期間で現れるキーワードを把握して、なにが原因で外れ値となったかを推定するようなことが可能になる。或いは、例えばヒストグラム７０６や折れ線グラフ７０９に複数のピークが現れている場合、それぞれのピークで現れるキーワードを把握して、ピークとなる要因を推定するようなことが可能になる。
【００４４】
一連の操作の中で絞り込みを順次行っていく場合、画面内にヒストグラム７０６（又は折れ線グラフ７０９）の履歴が残るようにすれば、キーワード、値域や時間によってグラフがどのように変化するか（すなわち、実績データの値がどのように変化するか）を把握しやすくすることができる。
【００４５】
本実施形態では、データ検索の際にキーワードを含めて複合検索できる例を説明したが、オントロジーを含めて複合検索できるようにしてもよい。図１１には、表示装置１０３に表示されるデータ検索画面を示す。図７〜図９にあるキーワード入力欄７０３に替えて、概念入力欄７１０と、概念入力欄７１０に入力する概念に対する兄弟概念を含めて拡張検索するか否か、下位概念を含めて拡張検索するか否かを選択するチェックボックス７１１が設けられている。
【００４６】
なお、キーワードや概念を入力した場合に、上述したキーワード検索やオントロジー検索の場合と同様に、共起語や関係する概念が表示されるようにしてもよい。図１１には、図７〜図９と同様に、実績データ名入力欄７０１と、値域入力欄７０２と、キーワード入力欄７０３と、期間入力欄７０４、検索ボタン７０５、ヒストグラム７０６、操業日誌の一覧７０７が設けられており、段落００３３〜段落００３９で説明したような、実績データの値域による絞り込み、ヒストグラムの作成、関連キーワードの抽出、検索された操業日誌の一覧が可能となっている。
【００４７】
また、図１１のヒストグラム７０６の代わりに、図１０のように時間推移を表わす折れ線グラフ７０９を表示し、段落００４０〜段落００４１で説明したような、期間による絞り込みを可能とするようにしてもよい。
【００４８】
以上、本発明を種々の実施形態と共に説明したが、本発明はこれらの実施形態にのみ限定されるものではなく、本発明の範囲内で変更等が可能である。例えば図１では一台の装置から構成されるように示したが、複数台の装置から構成されるようにしてもよい。例えばサーバに複数台の端末が接続し、端末からの要求に応じてサーバが各種検索を実行し、端末が検索結果を受け取る構成としてもかまわない。
【００４９】
また、本発明を適用する知識情報抽出装置は、具体的にはＣＰＵ、ＲＡＭ、ＲＯＭ等を含むコンピュータ装置或いはコンピュータシステムにより構成される。したがって、本発明の各機能処理を実現するためにコンピュータ装置或いはコンピュータシステムにインストールされるプログラム自体も本発明に含まれる。
【符号の説明】
【００５０】
１００：知識情報抽出装置、１０１：データベース、１０２：入力装置、１０３：表示装置、１０４：キーワード検索部、１０４ａ：共起語抽出部、１０５：オントロジー検索部、１０６：データ検索部、１０６ａ：関連キーワード抽出部
【図１】
0005533692.tif 000002
【図２】
0005533692.tif 000003
【図３】
0005533692.tif 000004
【図４】
0005533692.tif 000005
【図５】
0005533692.tif 000006
【図６】
0005533692.tif 000007
【図７】
0005533692.tif 000008
【図８】
0005533692.tif 000009
【図９】
0005533692.tif 000010
【図１０】
0005533692.tif 000011
【図１１】
0005533692.tif 000012